(57)【特許請求の範囲】
【請求項１】
レンズ鏡筒の先端部に取り付け可能なレンズフードであって、
開口が形成されたフード本体と、
前記開口を覆う開口カバー部材と、
前記開口カバー部材を前記フード本体に摺動可能に固定するカバー支持部材と、
前記開口カバー部材が摺動方向において当接する第１の被当接部及び第２の被当接部と、を有する、ことを特徴とするレンズフード。
【請求項２】
前記フード本体及び前記カバー支持部材はそれぞれ、前記開口カバー部材を摺動可能に挟み込む第１の軌道及び第２の軌道を有する、ことを特徴とする請求項１に記載のレンズフード。
【請求項３】
前記カバー支持部材は、前記第２の軌道から突き出た第１の突出部を有し、前記フード本体は、前記第１の突出部に係合する第１の係合部を有する、ことを特徴とする請求項１又は２に記載のレンズフード。
【請求項４】
前記フード本体は、前記第１の軌道から突き出た第２の突出部を有し、前記カバー支持部材は、前記第２の突出部と係合する第２の係合部を有する、ことを特徴とする請求項１乃至３の何れか一項に記載のレンズフード。
【請求項５】
前記第１の軌道又は前記第２の軌道に形成された凹部と、前記開口カバー部材に形成された、前記凹部と嵌合する凸部からなる、クリック感を発生させるクリック構造を有する、ことを特徴とする請求項１乃至４の何れか一項に記載のレンズフード。
【請求項６】
前記フード本体に形成された、前記開口の少なくとも一部を囲繞する第１の囲繞部と、前記開口カバー部材に形成された、前記第１の囲繞部の内側又は外側に嵌り合う第２の囲繞部と、からなる遮光構造を有する、ことを特徴とする請求項１乃至５の何れか一項に記載のレンズフード。
【請求項７】
請求項１乃至６の何れか一項に記載のレンズフードと、
前記レンズフードが先端部に装着されたレンズ鏡筒と、を有する、ことを特徴とするレンズ装置。
【請求項８】
請求項７に記載のレンズ装置と、
前記レンズ装置が装着された、前記レンズ装置により形成された光学像を光電変換する撮像素子を有するカメラ装置と、を有する、ことを特徴とする撮像システム。
【発明の詳細な説明】
【技術分野】
【０００１】
本発明は、レンズ鏡筒に装着可能なレンズフードに関するものである。
【背景技術】
【０００２】
従来、カメラレンズではフレアやゴーストの原因となる撮影画角外からの不要光を遮断するために、レンズ鏡筒の先端部にレンズフードが装着される。また、レンズ鏡筒の先端部には撮影効果を高めるための偏光フィルタやＮＤフィルタ、クロスフィルタ等の各種フィルタが装着される。
【０００３】
それら各種フィルタとしては、光軸周りの回転位置を変化させることで撮影効果を変化させることができる回転効果フィルタ（光学部材）がある。回転効果フィルタを一眼レフカメラなどで用いる場合には、ファインダで確認しながら回転位置を変化させることが可能である。つまり、撮影効果を確認しながら回転操作が可能な構成となる。
【０００４】
回転効果フィルタは一般的に、レンズ鏡筒の先端部の内周面に形成された雌ねじ部に対応した雄ネジ部を有しており、前記雄ネジ部が前記雌ネジ部に螺合することによりレンズ鏡筒の先端部に装着される。また、レンズフードはレンズ鏡筒の先端部の外周面に設けられた構造（例えば、バヨネット構造）によりレンズ鏡筒の先端部に装着される。
【０００５】
レンズフードはレンズ鏡筒の先端部の外周面に装着され、撮影対象側に開口を備えた円筒形状であるため、レンズ鏡筒の先端部の内周面に装着される回転効果フィルタを光軸周りに覆ってしまう。
【０００６】
そのため、レンズフードを装着したときに回転効果フィルタの回転操作を行う場合にはレンズフードの撮影対象側の開口から撮影者が指先を入りこませる必要がある。つまりレンズフードを装着したときには、撮影者がファインダで被写体を確認しながら回転効果フィルタを操作すると、レンズ鏡筒に入射する光の一部を指先で遮ることになり、撮影画面を確認する上では好ましくない。また、レンズフードの全長次第では撮影対象側の開口から指先を入れて回転効果フィルタを操作すること自体が困難であることもある。
【０００７】
このような問題に対して、特許文献１では回転効果フィルタを操作するために、レンズフードの周面に指をさし入れることが可能な開口と、開口を閉塞するための蓋体が備えられている。また、蓋体が、ヒンジ構造あるいは軌道構造（レール構造）によりレンズフードに連結されている。
【先行技術文献】
【特許文献】
【０００８】
【特許文献１】特開２０００−３３８５５２号公報
【発明の概要】
【発明が解決しようとする課題】
【０００９】
特許文献１に記載のレンズフードは、蓋部材がヒンジ構造や軌道構造によりレンズフードの本体部品に連結されている。ヒンジ構造では蓋部材が回動する構成であり、蓋部材が開口状態では、外部からの衝撃などで蓋部材が外れ易く、破損し易い。
【００１０】
また、軌道構造では、蓋部材はレンズフードの本体部品の軌道に支持されているので、光軸直交方向（レンズフードの径方向）の外力の作用には比較的強い。しかし、レンズフードに対して蓋部材を容易に組み込めるようにした結果、光軸方向からの衝撃などで蓋部材が外れ易く、破損し易い。
【００１１】
蓋部材の外れや破損が生じると、開口や破損部からの光の入射を招くことになり、撮影画角外からの不要光の遮断という機能を十分満たすことができなくなる。
【００１２】
本発明の目的は、レンズ鏡筒の先端部に装着された状態において、レンズ鏡筒の先端部に装着された光学部材の操作が容易で、且つ、外部からの衝撃に強いレンズフードを提供することである。
【課題を解決するための手段】
【００１３】
上記目的を達成するために本発明に係るレンズフードは、レンズ鏡筒の先端部に取り付け可能なレンズフードであって、開口が形成されたフード本体と、前記開口を覆う開口カバー部材と、前記開口カバー部材を前記フード本体に摺動可能に固定するカバー支持部材と、前記開口カバー部材が摺動方向において当接する第１の被当接部及び第２の被当接部と、を有する、ことを特徴とする。
【発明の効果】
【００１４】
本発明によれば、レンズ鏡筒の先端部に装着された状態において、レンズ鏡筒の先端部に装着された光学部材の操作が容易で、且つ、外部からの衝撃に強いレンズフードを提供することができる。
【図面の簡単な説明】
【００１５】
【図１】本発明の第１の実施形態におけるレンズフードの分解斜視図。
【図２】本発明の第１の実施形態におけるレンズフードの分解斜視図。
【図３】本発明の第１の実施形態におけるレンズフード及びレンズ鏡筒の断面図（開口状態）。
【図４】本発明の第１の実施形態におけるレンズフード及びレンズ鏡筒の断面図（閉口状態）。
【図５】本発明の第１の実施形態におけるレンズフード及びレンズ鏡筒の斜視図（開口状態）。
【図６】本発明の第１の実施形態におけるレンズフード、レンズ鏡筒及びカメラ装置の模式図（一部、断面図）。
【図７】本発明の第１の実施形態におけるレンズフード及びレンズ鏡筒の断面図（逆付け装着）。
【図８】本発明の第１の実施形態における開口カバー部材の斜視図。
【図９】本発明の第１の実施形態におけるレンズフードの（ａ）正面図及び（ｂ）背面図。
【図１０】本発明の第１の実施形態におけるレンズフードの軌道構造の断面図。
【図１１】本発明の第１の実施形態におけるレンズフードの断面図（開口状態）。
【図１２】本発明の第２の実施形態におけるレンズフードの分解斜視図。
【図１３】本発明の第２の実施形態における開口カバー部材の斜視図。
【図１４】本発明の第２の実施形態におけるレンズフードの断面図。
【発明を実施するための形態】
【００１６】
以下に、本発明の好ましい実施形態を、添付の図面に基づいて詳細に説明する。
【実施例１】
【００１７】
本発明に係るレンズフードの第１の実施形態について説明する。
【００１８】
図１は、第１の実施形態のレンズフードの分解斜視図である。図２は、図１の分解斜視図に対して光軸周りに１８０度回転した方向から見た分解斜視図である。
【００１９】
図１，２で示すように、レンズフード１０は、フード本体（フードベース）１００、カバー支持部材（フードカバー）２００、開口カバー部材（フード窓）３００、ロックレバー４００、トーションバネ４０１、締結ビス５００により構成される。
【００２０】
フード本体１００は、開口１０２、第１の軌道（第１レール部）１０３、第１の係合部（係合溝）１０５、第１の囲繞部（凸形状部）１０６及びロックレバー４００の軸部４０２が嵌合する軸穴を有している。フード本体１００はレンズ鏡筒２０への不要光の入射を遮断するために円筒形状の部材である。
【００２１】
カバー支持部材２００は、第２の軌道（第２レール部）２０２、開口２０３、第２の軌道から突き出た第１の突出部（係合爪）２０４、及びロックレバー４００の軸部４０３が嵌合する軸穴を有している。
【００２２】
開口カバー部材３００は、フード本体１００に形成された開口１０２及びカバー支持部材２００に形成された開口２０３を塞ぐような板状片である。
【００２３】
フード本体１００が有する第１の係合部１０５は、カバー支持部材２００が有する第１の突出部２０４に係合するように形成されており、カバー支持部材２００を光軸直交方向に支持する。
【００２４】
締結ビス５００により、カバー支持部材２００がフード本体１００に対して固定される。
【００２５】
ロックレバー４００は、フード本体１００に形成された軸穴に嵌合する軸部４０２及びカバー支持部材２００に形成された軸穴に嵌合する軸部４０３を有し、フード本体１００とカバー支持部材２００に挟みこまれるように支持されている。
【００２６】
トーションバネ４０１は、ロックレバー４００の軸部４０３に嵌合し、ロックレバー４００とカバー支持部材２００との間で光軸中心方向に付勢力を発生させるように取り付けられる。トーションバネ４０１による付勢力によりロックレバー４００の先端がレンズ鏡筒２０の先端部２１に形成されたバヨネット溝２１ａの端部に突き当たることでレンズフード１０の光軸周りの回転を規制する。
【００２７】
図３は、第１の実施形態のレンズフード及びレンズ鏡筒の断面図（開口状態）である。図４は、第１の実施形態のレンズフード及びレンズ鏡筒の断面図（閉口状態）である。図５は、第１の実施形態のレンズフード及びレンズ鏡筒の斜視図（開口状態）である。
【００２８】
図３〜５に示すように、レンズフード１０はレンズ鏡筒２０の先端部２１に取り付け可能である。また、開口カバー部材３００を光軸方向に移動（摺動）させることで、開口１１が閉じた状態（開口カバー部材が開口の全部を覆う状態。以下、「閉口状態」という）、開いた状態（開口カバー部材が開口の一部のみを覆う状態。以下、「開口状態」という）に変更可能に構成されている。
【００２９】
図３に示すように、開口１１を開くことで、開口１１から指先などで光学部材３０を容易に操作可能となる。また、図４に示すように、光学部材（回転効果フィルタ）３０を操作しないときには、開口１１（図３参照）を閉じることで、レンズ鏡筒２０への不要光の入射を遮断できる。
【００３０】
図３，４に示すように、フード本体１００は、レンズ鏡筒２０の先端部２１に形成されているバヨネット溝２１ａに係合するバヨネット爪１０１を有している。バヨネット爪１０１がバヨネット溝２１ａに係合することでレンズフード１０はレンズ鏡筒２０に装着される。
【００３１】
図６は、第１の実施形態のレンズフード、レンズ鏡筒及びカメラ装置の模式図（一部、断面図）である。
【００３２】
図６に示すように、レンズ鏡筒２０、及びレンズ鏡筒２０の先端部２１に装着されるレンズフード１０によりレンズ装置５０が構成される。また、レンズ装置５０、及びレンズ装置５０が装着された、レンズ装置５０により形成された光学像を光電変換する撮像素子６１を有するカメラ装置６０により撮像システム７０が構成される。
【００３３】
図７は、第１の実施形態のレンズフード及びレンズ鏡筒の断面図（逆付け装着）である。
【００３４】
図７に示すように、カバー支持部材２００は、レンズフード１０をレンズ鏡筒２０に逆付けする際にバヨネット溝２１ａに係合するバヨネット爪２０１を有する。
【００３５】
図８は、第１の実施形態の開口カバー部材の斜視図である。図８（ａ）は下面斜視図、図８（ｂ）は上面斜視図である（「上面」及び「下面」は、レンズ鏡筒の先端部にレンズフードを取付けたときの状態を基準にしている）。
【００３６】
図８に示すように、開口カバー部材３００は、第１の摺動部３０１ａ、第２の摺動部３０１ｂ、第１の当接部３０２、第２の当接部３０３、凸部（板バネ部）３０４、及び第２の囲繞部（凸形状部）３０５を有する。
【００３７】
開口カバー部材３００には、開口１０２の少なくとも一部（図８では３辺）を囲繞する第２の囲繞部３０５が形成されている。第２の囲繞部３０５は、光軸方向あるいは光軸周り方向にレンズフード１０を見たときにフード本体１００に形成された第１の囲繞部１０６（図１参照）とオーバーラップするように構成されている。
【００３８】
第１の実施形態では、第１の囲繞部の外側に第２の囲繞部が嵌り合う構成となっているが、第１の囲繞部の内側に第２の囲繞部が嵌り合っていてもよい。これによりフード本体１００と開口カバー部材３００の間で生じる隙間を塞ぐことができ、レンズフード１０が閉口状態においてより確実にレンズ鏡筒２０への不要光の入射を遮断する遮光構造を構成することができる。
【００３９】
次に、第１の実施形態のレンズフード４０の開口カバー部材３００の開閉構造については説明する。
【００４０】
図９は、第１の実施形態のレンズフードである。図９（ａ）は、図１に示すＡ方向から見た正面図であり、図９（ｂ）は、図１に示すＥ方向から見た背面図である。
【００４１】
図１０は、図９中で示すＢ−Ｂ断面の断面図である。図１０（ａ）は閉口状態における断面図であり、図１０（ｂ）は開口状態における断面図である。
【００４２】
図１１は、図９中で示すＣ−Ｃ断面の開口状態における断面図である。
【００４３】
図１０，１１に示すように、フード本体１００の開口１０２は、開口カバー部材３００が閉口状態の位置から開口状態の位置の間を光軸方向に移動する際に干渉しないように形成されている。また、カバー支持部材２００の開口２０３は、開口カバー部材３００が有する第２の当接部３０３が閉口状態から開口状態の間で干渉しないように形成されている。
【００４４】
図１０に示すように、フード本体１００の開口１０２には、開口カバー部材３００が摺動方向において当接する、被当接部としての第１の被当接部（閉口ストッパー部）１０４が設けられている。第１の被当接部１０４は、閉口状態において、開口カバー部材３００の当接部（第１の当接部）３０２が当接するように形成されている。そして、それにより、閉口状態における開口カバー部材３００の端位置を決める。
【００４５】
図１１に示すように、カバー支持部材２００の開口２０３には、開口カバー部材３００が摺動方向において当接する、被当接部としての第２の被当接部（開口ストッパー部）２０３ａが設けられている。第２の被当接部２０３ａは、開口状態において、開口カバー部材３００の当接部（第２の当接部）３０３が当接するように形成されている。そして、それにより、開口状態における開口カバー部材３００の端位置を決める。
【００４６】
開口カバー部材３００は、フード本体１００が有する第１の軌道１０３に対して光軸方向に摺動可能に形成された第１の摺動部３０１ａ、カバー支持部材２００が有する第２の軌道２０２に対して光軸方向に摺動可能に形成された摺動部３０１ｂを有している。開口カバー部材３００は、第１の軌道１０３と第２の軌道２０２に摺動可能に挟み込まれている。つまり、開口カバー部材３００はフード本体１００とカバー支持部材２００により構成されたレール構造部により光軸方向に移動可能に支持されている。
【００４７】
第１の軌道１０３は開口カバー部材３００の第１の摺動部３０１ａが閉口状態の位置から開口状態の位置の間を摺動可能なように光軸方向の長さが設定されている。第２の軌道２０２は開口カバー部材３００の第２の摺動部３０１ｂが閉口状態の位置から開口状態の位置の間を摺動可能なように光軸方向の長さが設定されている。
【００４８】
図１０（ａ）に示すように、閉口状態では第２の軌道２０２に形成された第１の凹部（閉口クリック溝）２０２ａに開口カバー部材３００の凸部（板バネ部）３０４が嵌合する。これにより、閉口状態の位置に開口カバー部材３００を移動させる際、及び閉口状態の位置から開口カバー部材３００を移動させる際のクリック感を発生させる。
【００４９】
図１０（ｂ）に示すように、開口状態では第２の軌道２０２に形成された第１の凹部（開口クリック溝）２０２ｂに開口カバー部材３００の凸部（板バネ部）３０４が嵌合する。これにより、開口状態の位置に開口カバー部材３００を移動させるとき、及び開口状態の位置から開口カバー部材３００を移動させるときにクリック感を発生させる。
【００５０】
このようなクリック構造により、レンズフード１０に衝撃が加わった場合でも、開口カバー部材３００が閉口状態あるいは開口状態から不用意に移動しづらくなる。
【００５１】
第１の実施形態によれば、開口カバー部材３００は、フード本体１００が有する第１の軌道１０３と、開口カバー部材３００を光軸直交方向から支持するカバー支持部材２００が有する第２の軌道２０２の間を摺動する。したがって、開口カバー部材３００は光軸直交方向に支持されており、衝撃などにより光軸直交方向の外力が作用しても開口カバー部材３００が外れることがない。
【００５２】
また、第１の軌道１０３及び第２の軌道２０２と、開口カバー部材３００が有する第１の摺動部３０１ａ及び第２の摺動部３０１ｂを面同士で当接させることができる。そのため、光軸直交方向への外力に対し十分な強度を確保することもでき、光軸直交方向の外力が作用した場合に対しての破損を防止することができる。
【００５３】
また、開口カバー部材３００の当接部３０２、３０３がそれぞれ被当接部１０４、開口ストッパー部２０１ａに当接する構成であるため、衝撃などにより光軸方向に外力が作用しても開口カバー部材３００が外れることはない。
【００５４】
また、当接部３０２、３０３も当接部１０４、開口ストッパー部２０１ａに面同士で当接させることができる。そのため、光軸方向への外力に対しても十分な強度を確保することができ、光軸方向の外力が作用した場合に対しての破損も防止することができる。
【００５５】
また、クリック感を発生させるための凸部３０４は第１の摺動部３０１ａ及び第２の摺動部３０１ｂにより形成される空間内に配置しているために、クリック構造による摺動箇所が削れるなどしてもレンズフード１０の外観部に影響はない。通常レンズフード１０の内周面（外観部）は遮光効果の高い塗装や、植毛が施されており塗装や植毛が削れると遮光効果が低減し、品位も損なわれるため第１の実施形態のクリック構造は有用である。
【実施例２】
【００５６】
本発明に係るレンズフードの第２の実施形態について説明する。
【００５７】
図１２は、第２の実施形態のレンズフードの分解斜視図である。
【００５８】
図１２で示すように、レンズフード４０は、フード本体（フードベース）５００、カバー支持部材（フードカバー）６００、開口カバー部材（フード窓）７００、ロックレバー８００、コイルバネ８０１、締結ビス９００により構成される。
【００５９】
フード本体５００は、レンズ鏡筒２０の先端部２１に形成されているバヨネット溝２１ａに係合するバヨネット爪５０１を有している。バヨネット爪５０１がバヨネット溝２１ａに係合することでレンズフード４０はレンズ鏡筒２０に装着される。
【００６０】
フード本体５００は、レンズ鏡筒２０への不要光の入射を遮断するために円筒形状の部材である。また、フード本体５００は開口５０２、第１の軌道（第１レール部）５０３、第１の係合部（係合溝）５０４、第１の囲繞部（凸形状部）５０５及びロックレバー８００の軸穴８０２に嵌合する不図示の軸部を有している。
【００６１】
カバー支持部材６００は、開口６０１、第２の軌道から突き出た第１の突出部（係合爪）６０２、被当接部（閉口ストッパー部）６０３、及び不図示の第２の軌道（第２レール部）を有している。
【００６２】
開口カバー部材７００は、摺動部７０１ａ、摺動部７０１ｂ、第１の当接部７０２、第２の当接部７０３、凸部（板バネ部）７０４、及び第２の囲繞部（凸形状部）７０５を有する。
【００６３】
ロックレバー８００は、軸穴８０２を有し、軸穴８０２にフード本体５００に形成された不図示の軸部が嵌合する。ロックレバー８００は軸穴８０２にフード本体５００に形成された軸部が嵌合した状態でフード本体５００とカバー支持部材６００に挟みこまれるように支持されている。
【００６４】
コイルバネ８０１は、フード本体５００とロックレバー８００の間で突っ張るように取り付けられる。コイルバネ８０１によりロックレバー８００は、光軸中心方向に付勢力を発生させ、ロックレバー８００の先端がレンズ鏡筒２０先端部２１に形成されたバヨネット溝２１ａの端部に突き当たることで、レンズフード４０の光軸周りの回転を規制する。
【００６５】
締結ビス９００により、カバー支持部材６００がフード本体５００に対して固定される。
【００６６】
第１の実施形態では、レンズ鏡筒の先端部から光軸方向に、フード本体１００、カバー支持部材２００という順の積層構造であった。これに対し、第２の実施形態では、レンズ鏡筒の先端部から光軸方向に、カバー支持部材６００、フード本体５００という順の積層構造であるという点で異なる（図１４参照）。
【００６７】
また、第１の実施形態では、フード本体１００の物体側からカバー支持部材２００を組み込む構造（フード本体１００の内側からカバー支持部材２００を通す構造）であった。これに対し、第２の実施形態では、フード本体５００の像側からカバー支持部材６００を組み込む構造（フード本体１００の内側からカバー支持部材２００を通さない構造）である点で異なる。
【００６８】
図１３は、第２の実施形態の開口カバー部材の斜視図であり、図１３（ａ）は下面斜視図、図１３（ｂ）は上面斜視図である（「上面」及び「下面」は、レンズ鏡筒の先端部にレンズフードを取付けたときの状態を基準にしている）。
【００６９】
図１３に示すように、開口カバー部材７００は、第１の摺動部７０１ａ、第２の摺動部７０１ｂ、第１の当接部７０２、第２の当接部７０３、凸部（板バネ部）７０４、及び第２の囲繞部（凸形状部）７０５を有する。
【００７０】
開口カバー部材７００には、開口５０２の少なくとも一部（図１３では３辺）を囲繞する第２の囲繞部７０５が形成されている。第２の囲繞部７０５は、光軸方向あるいは光軸周り方向にレンズフード４０を見たときにフード本体５００に形成された第１の囲繞部５０５（図１２参照）とオーバーラップするように構成されている。
【００７１】
次に、第２の実施形態のレンズフード４０の開口カバー部材７００の開閉構造については説明する。
【００７２】
フード本体５００の開口５０２は、開口カバー部材７００が閉口状態の位置から開口状態の位置の間を光軸方向に移動する際に干渉しないように形成されている。第１の軌道５０３は、開口カバー部材７００の第１の摺動部７０１ａが閉口状態の位置から開口状態の位置の間を摺動可能なように光軸方向の長さが設定されている。
【００７３】
フード本体５００が有する第１の係合部５０４は、カバー支持部材６００が有する第１の突出部６０２と係合するように形成されており、カバー支持部材６００を光軸直交方向に支持する。
【００７４】
カバー支持部材６００の開口６０１は、開口カバー部材７００が閉口状態から開口状態の間で干渉しないように形成されている。
【００７５】
カバー支持部材６００の開口６０１には、開口カバー部材７００が摺動方向において当接する、被当接部としての第１の被当接部６０３が設けられている。第１の被当接部６０３は、閉口状態において、開口カバー部材７００の第１の当接部７０２が当接するように形成されており、閉口状態における開口カバー部材７００の端位置を決める。
【００７６】
フード本体５００の開口５０２には、開口カバー部材７００が摺動方向において当接する、被当接部としての第２の被当接部（開口５０２の物体側の面）が設けられている。第２の被当接面は、開口状態において、開口カバー部材７００の第２の当接部７０３が当接するように形成されており、開口状態における開口カバー部材７００の端位置を決める。
【００７７】
第２の軌道（不図示）は開口カバー部材７００の摺動部７０１ｂが閉口状態の位置から開口状態の位置の間を摺動可能なように光軸方向の長さが設定されている。
【００７８】
閉口状態では第２の軌道（不図示）に形成された第１の凹部（閉口クリック溝。不図示）に開口カバー部材７００の凸部（板バネ部）７０４が嵌合する。これにより、閉口状態の位置に開口カバー部材７００を移動させる際、及び閉口状態の位置から開口カバー部材７００を移動させる際のクリック感を発生させる。
【００７９】
開口状態では第２の軌道（不図示）に形成された第２の凹部（開口クリック溝。不図示）に開口カバー部材７００の凸部（板バネ部）７０４が嵌合する。これにより、開口状態の位置に開口カバー部材７００を移動させるとき、及び開口状態の位置から開口カバー部材７００を移動させるときにクリック感を発生させる。
【００８０】
このようなクリック構造により、レンズフード４０に衝撃が加わった場合でも、開口カバー部材７００が閉口状態あるいは開口状態から不用意に移動しづらくなる。
【００８１】
第２の実施形態によれば、開口カバー部材７００は、フード本体５００が有する第１の軌道５０３と、開口カバー部材７００を光軸直交方向から支持するカバー支持部材６００が有する第２の軌道（不図示）の間を摺動する。したがって、開口カバー部材７００は光軸直交方向に支持されており、衝撃などにより光軸直交方向の外力が作用しても開口カバー部材７００が外れることがない。
【００８２】
また、第１の軌道５０３及び第２の軌道（不図示）と、開口カバー部材７００が有する第１の摺動部７０１ａ及び第２の摺動部７０１ｂを面同士で当接させることができる。そのため、光軸直交方向への外力に対し十分な強度を確保することもでき、光軸直交方向の外力が作用した場合に対しての破損を防止することができる。
【００８３】
フード本体の内側は通常、光の反射を抑えるために植毛や反射防止用の塗装を施されている。第２の実施形態では、カバー支持部材６００を組み込む際にフード本体の内側を通す必要がなく、フードカバーを組み込むときに植毛や反射防止用の塗装を傷付ける恐れがなく好ましい。
【００８４】
以上、本発明の好ましい実施形態について説明したが、本発明はこれら実施形態に限定されず、その要旨の範囲内で種々の変形及び変更が可能である。
【００８５】
第１の実施形態では、被当接部（閉口ストッパー部）はフード本体に、被当接部（開口ストッパー部）はカバー支持部材に設けた。また、第２の実施形態では、被当接部（閉口ストッパー部）はカバー支持部材に、被当接部（開口ストッパー部）はフード本体に設けた。しかし、被当接部（閉口ストッパー部及び開口ストッパー部）はフード本体とカバー支持部材のどちらに設けてもよい。
【００８６】
また、開口カバー部材に凸部（板バネ部）を設け、当該凸部と嵌合する第１の凹部及び第２の凹部（「凹部」と総称する）を第２の軌道に設けていた。しかし、開口カバー部材に凸部を設け、当該凸部と嵌合する第１の凹部及び第２の凹部を第１の軌道に設けてもよい。
【００８７】
また、フード本体に設けた第１の係合部（係合溝）にカバー支持部材の第１の突出部（係合爪）が嵌合する構成としたが、フード本体に第２の突出部（係合爪）を設け、カバー支持部材に第２の係合部（係合溝）を設けてもよい。
【符号の説明】
【００８８】
１０、４０  レンズフード
２０  レンズ鏡筒
１００、５００  フード本体（フードベース）
１０２  開口
１０４、６０３  被当接部（閉口ストッパー部）
２００、６００  カバー支持部材（フードカバー）
３００、７００  開口カバー部材（フード窓）
【図１】
0006436727.tif 000002
【図２】
0006436727.tif 000003
【図３】
0006436727.tif 000004
【図４】
0006436727.tif 000005
【図５】
0006436727.tif 000006
【図６】
0006436727.tif 000007
【図７】
0006436727.tif 000008
【図８】
0006436727.tif 000009
【図９】
0006436727.tif 000010
【図１０】
0006436727.tif 000011
【図１１】
0006436727.tif 000012
【図１２】
0006436727.tif 000013
【図１３】
0006436727.tif 000014
【図１４】
0006436727.tif 000015